(57)【要約】【課題】掃除口継手へ容易に取り付けることができ、且つ、掃除口部を容易に露出させるとともに掃除口部を容易に覆うことができる遮音シートを提供する。【解決手段】排水立て管の途中に設けられ、立て管掃除用の開閉可能な開口部が設けられた掃除口部を有する掃除口継手に取付けられる遮音シート６１である。掃除口継手に巻き付けられて当該掃除口継手を覆うとともに、掃除口部を露出させるための窓開口６４が形成された本体部６２と、本体部６２の巻付け方向の端部に一体に形成され、窓開口６４を塞ぐことで掃除口部を覆う蓋部６３と、を備えている。本体部６２は、巻付け方向に離間して少なくとも２つ以上形成された表裏に通じる連通孔６９ａ，６９ｂ，６９ｃ，６９ｄに挿通されるインシュロック６７によって、排水立て管を締め付けることで、掃除口継手に取付けられている。【選択図】図１２
2020060096.tif 000002
【特許請求の範囲】
【請求項１】
排水立て管の途中に設けられ、立て管掃除用の開閉可能な開口部が設けられた掃除口部を有する掃除口継手に取付けられる遮音シートであって、
上記掃除口継手およびその上下に接続される上記排水立て管に巻き付けられて当該掃除口継手を覆うとともに、上記掃除口部を露出させるための窓開口が形成された本体部と、
上記本体部の巻付け方向の端部に一体に形成され、上記窓開口を塞ぐことで上記露出する掃除口部を覆う蓋部と、を備え、
上記蓋部は、上記本体部が上記掃除口継手に巻き付けられた状態で、当該蓋部の上端が上記本体部の上端よりも低く、且つ、当該蓋部の下端が上記本体部の下端よりも高くなるように形成されており、
上記本体部は、上記掃除口継手に巻き付けられた状態で、上記蓋部の上端よりも上側の部位、および、上記蓋部の下端よりも下側の部位に巻かれる結束バンド、紐またはテープにより、上記掃除口継手の上下に接続される上記排水立て管をそれぞれ締め付けることで、上記掃除口継手に取付けられており、
上記本体部における、上記掃除口継手に巻き付けられた状態で、上記蓋部の上端よりも上側となる部位および上記蓋部の下端よりも下側となる部位に、上記結束バンド、紐またはテープを挿通可能な表裏に通じる連通孔が、巻付け方向に離間して少なくとも２つ以上形成されていることを特徴とする遮音シート。
【請求項２】
排水立て管の途中に設けられ、立て管掃除用の開閉可能な開口部が設けられた掃除口部を有する掃除口継手に取付けられる遮音シートであって、
上記掃除口継手およびその上下に接続される上記排水立て管に巻き付けられて当該掃除口継手を覆うとともに、上記掃除口部を露出させるための窓開口が形成された本体部と、
上記本体部の巻付け方向の端部に一体に形成され、上記窓開口を塞ぐことで上記露出する掃除口部を覆う蓋部と、を備え、
上記蓋部は、上記本体部が上記掃除口継手に巻き付けられた状態で、当該蓋部の上端が上記本体部の上端よりも低く、且つ、当該蓋部の下端が上記本体部の下端よりも高くなるように形成されており、
上記本体部は、上記掃除口継手に巻き付けられた状態で、上記窓開口よりも上側および下側の部位に巻かれる結束バンド、紐またはテープにより、上記掃除口継手の上下に接続される上記排水立て管をそれぞれ締め付けることで、上記掃除口継手に取付けられており、
上記本体部における、上記掃除口継手に巻き付けられた状態で、上記窓開口よりも上側および下側となる部位に、上記結束バンド、紐またはテープを挿通可能な表裏に通じる連通孔が、巻付け方向に離間して少なくとも２つ以上形成されており、
上記結束バンド、紐またはテープは、上記本体部の表面側から当該本体部および上記排水立て管を共に締め付けるように、上記各連通孔に挿通されていることを特徴とする遮音シート。
【発明の詳細な説明】
【技術分野】
【０００１】
本発明は、排水立て管の途中に設けられる掃除口継手の排水音を低減するための遮音シートに関するものである。
【背景技術】
【０００２】
従来から、静寂性が求められる集合住宅等では、排水立て管からの排水音、特に排水立て管の途中に設けられた継手からの排水音を低減するための遮音対策が行われている。かかる遮音対策としては、例えば、排水立て管を施工した後、継手およびその上下に接続された立て管にグラスウール保温材を巻き付け、更にその上から遮音シートを巻きつけ、これらグラスウール保温材および遮音シートを金網等で固定する方法が一般的である。
【０００３】
ところで、排水立て管には、定期的な管内洗浄や管内調査を行うために、開閉可能な開口部が設けられた掃除口部を有する掃除口継手を設けることがある（例えば特許文献１参照）。そうして、通常の継手を遮音シートで覆う場合は、一旦取り付けた遮音シートを取り外すことはないが、掃除口継手を遮音シートで覆う場合は、定期的な管内洗浄等のために遮音シートを取り外す必要がある。このため、掃除口継手を覆う遮音シートを金網等で固定する方法を採用した場合には、金網等を取り外さなければならないため、掃除口部の開口作業に時間がかかる上、復旧作業には熟練した技能を要するという問題がある。
【０００４】
そこで、このような問題を解決するために、例えば、図１４に示すような遮音シート１０１が提案されている。この遮音シート１０１は、アスファルト系材料からなる表面シートと、ロックウールからなる裏面シートとを貼り合せたものである。この遮音シート１０１は、図１４（ａ）および（ｂ）に示すように、掃除口継手１２３およびその上下に接続される排水立て管１２１，１２２に巻き付けられて掃除口継手１２３を覆う本体部１０２と、本体部１０２の巻付け方向の端部に一体に形成された蓋部１０３とを有している。本体部１０２には、巻き付け方向における、蓋部１０３が形成された側とは反対側の端部に、掃除口部１２４を露出させるための窓開口１０４が形成されているとともに、巻き付け方向に延びる両側縁部にスリット１０９が形成されている。
【０００５】
この遮音シート１０１を掃除口継手１２３に取付ける際には、先ず、本体部１０２を掃除口継手１２３に巻き付ける。このとき、本体部１０２の両側縁部（上下端部）を、排水立て管１２１，１２２の外周面に沿うようにスリット１０９を閉じながら巻き付ける。次いで、図１４（ｂ）に示すように、両側縁部にテープ１０８を巻いた上、インシュロック等の結束バンド１３０で両側縁部を締め付ける。これにより、遮音シート１０１が、掃除口継手１２３の上下に接続された排水立て管１２１，１２２に固定される。
【０００６】
この遮音シート１０１は、蓋部１０３の先端部１０３ａを、図１４（ｂ）の黒塗り矢印で示すように、窓開口１０４から本体部１０２と掃除口継手１２３との間に差し込むことで、窓開口１０４から露出した掃除口部１２４を覆う一方、本体部１０２と掃除口継手１２３との間に差し込まれた蓋部１０３の先端部１０３ａを窓開口１０４から引き出すことで、掃除口部１２４を露出させるように構成されている。
【先行技術文献】
【特許文献】
【０００７】
【特許文献１】特開２００２−１８８１９２号公報（特に図５参照）
【発明の概要】
【発明が解決しようとする課題】
【０００８】
上記図１４に示すような遮音シート１０１では、蓋部１０３の先端部１０３ａを窓開口１０４から引き出すという簡単な作業で掃除口部１２４が露出することから、掃除口部１２４の開口作業を短時間で行うことが可能となる。また、掃除口部１２４を露出させるに当たって、遮音シート１０１を取り外す必要がないので、復旧作業を省略することができる。よって、上記遮音シート１０１によれば、掃除口継手１２３を覆う遮音シートを金網等で固定する方法の上記問題点を解決することができる。
【０００９】
しかしながら、上記遮音シート１０１には、以下のような問題がある。すなわち、遮音シート１０１では、掃除口部１２４を覆うべく、蓋部１０３の先端部１０３ａを本体部１０２と掃除口継手１２３との間に差し込むため、蓋部１０３が硬さを有することが必要となる。そうして、蓋部１０３は本体部１０２と一体に形成されていることから、蓋部１０３が硬さを有するためには遮音シート１０１を硬い素材で構成する必要がある。そうすると、本体部１０２を掃除口継手１２３および排水立て管１２１，１２２に巻き付けるのが困難になるとともに、本体部１０２を結束バンド１３０で締め付けることも困難になるという問題がある。
【００１０】
そこで、蓋部１０３のみを補強等によって硬くすることも考えられるが、遮音性能を確保するためには、本体部１０２を掃除口継手１２３に隙間なく巻き付ける必要があるため、蓋部１０３を硬くしても、蓋部１０３の先端部１０３ａを本体部１０２と掃除口継手１２３との間に差し込むことは容易ではないという問題がある。
【００１１】
本発明はかかる点に鑑みてなされたものであり、その目的とするところは、排水立て管の途中に設けられる掃除口継手に取付けられる遮音シートにおいて、掃除口継手へ容易に取り付けることができ、且つ、掃除口部を容易に露出させるとともに容易に覆うことができる遮音シートを提供することにある。
【課題を解決するための手段】
【００１２】
本発明は、排水立て管の途中に設けられ、立て管掃除用の開閉可能な開口部が設けられた掃除口部を有する掃除口継手に取付けられる遮音シートを対象としている。
【００１３】
そして、この遮音シートは、上記掃除口継手およびその上下に接続される上記排水立て管に巻き付けられて当該掃除口継手を覆うとともに、上記掃除口部を露出させるための窓開口が形成された本体部と、上記本体部の巻付け方向の端部に一体に形成され、上記窓開口を塞ぐことで上記露出する掃除口部を覆う蓋部と、を備え、上記蓋部は、上記本体部が上記掃除口継手に巻き付けられた状態で、当該蓋部の上端が上記本体部の上端よりも低く、且つ、当該蓋部の下端が上記本体部の下端よりも高くなるように形成されており、上記本体部は、上記掃除口継手に巻き付けられた状態で、上記蓋部の上端よりも上側の部位、および、上記蓋部の下端よりも下側の部位に巻かれる結束バンド、紐またはテープにより、上記掃除口継手の上下に接続される上記排水立て管をそれぞれ締め付けることで、上記掃除口継手に取付けられており、上記本体部における、上記掃除口継手に巻き付けられた状態で、上記蓋部の上端よりも上側となる部位および上記蓋部の下端よりも下側となる部位に、上記結束バンド、紐またはテープを挿通可能な表裏に通じる連通孔が、巻付け方向に離間して少なくとも２つ以上形成されていることを特徴とするものである。
【００１４】
この構成によれば、蓋部を窓開口に被せるだけで、掃除口部を容易に覆うことができる。また、蓋部を引っ張るだけで、掃除口部を容易に露出させることができる。
【００１５】
さらに、蓋部の上端よりも上側の部位、および、蓋部の下端よりも下側の部位に巻かれる結束バンド、紐またはテープ（以下、「結束バンド等」ともいう。）により、掃除口継手の上下の排水立て管を締め付けるので、その後の窓開口の開閉作業に支障を生じることなく、遮音シートを掃除口継手に容易に取り付けることができる。また、円筒状に巻かれた本体部の上端部および下端部を結束バンド等で絞ることにより形成される密閉された空間内に、掃除口継手が収められるので、高い遮音性能を確保することができる。
【００１６】
また、例えば、結束バンド等を本体部の表面側から一の連通孔に挿通し、本体部の裏面側に出た結束バンド等を本体部の裏面側から他の連通孔に挿通するといった具合に、恰も結束バンド等を本体部に縫い込むように取り付けることができる。そうして、このような連通孔が、巻付け方向に離間して少なくとも２つ以上形成されていることから、遮音シートにおける結束バンド等の位置をしっかりと決めることができる。これにより、施工時における排水立て管に対する結束バンド等の位置決めが容易になるとともに、結束バンド等が傾くことがないので締付性が確保されることから、遮音シートの施工性を向上させることができる。
【００１７】
さらに、本発明は、排水立て管の途中に設けられ、立て管掃除用の開閉可能な開口部が設けられた掃除口部を有する掃除口継手に取付けられる遮音シートであって、上記掃除口継手およびその上下に接続される上記排水立て管に巻き付けられて当該掃除口継手を覆うとともに、上記掃除口部を露出させるための窓開口が形成された本体部と、上記本体部の巻付け方向の端部に一体に形成され、上記窓開口を塞ぐことで上記露出する掃除口部を覆う蓋部と、を備え、上記蓋部は、上記本体部が上記掃除口継手に巻き付けられた状態で、当該蓋部の上端が上記本体部の上端よりも低く、且つ、当該蓋部の下端が上記本体部の下端よりも高くなるように形成されており、上記本体部は、上記掃除口継手に巻き付けられた状態で、上記窓開口よりも上側および下側の部位に巻かれる結束バンド、紐またはテープにより、上記掃除口継手の上下に接続される上記排水立て管をそれぞれ締め付けることで、上記掃除口継手に取付けられており、上記本体部における、上記掃除口継手に巻き付けられた状態で、上記窓開口よりも上側および下側となる部位に、上記結束バンド、紐またはテープを挿通可能な表裏に通じる連通孔が、巻付け方向に離間して少なくとも２つ以上形成されており、上記結束バンド、紐またはテープは、上記本体部の表面側から当該本体部および上記排水立て管を共に締め付けるように、上記各連通孔に挿通されていることを特徴とするものである。
【発明の効果】
【００１８】
以上、説明したように本発明に係る遮音シートによれば、掃除口継手へ容易に取り付けることができ、且つ、掃除口部を容易に露出させるとともに掃除口部を容易に覆うことができる。
【図面の簡単な説明】
【００１９】
【図１】本発明の実施形態１に係る遮音シートを模式的に示す図であり、同図（ａ）は遮音シートの表面を示す図であり、同図（ｂ）は遮音シートの裏面を示す図である。
【図２】遮音シートが取り付けられる掃除口継手および排水立て管を模式的に示す図であり、同図（ａ）は遮音措置がなされていない状態を示す図であり、同図（ｂ）は排水立て管のみに遮音シートを取り付けた状態を示す図である。
【図３】第１および第２部材の他の例を模式的に示す斜視図である。
【図４】掃除口継手への遮音シートの取付手順を示す図である。
【図５】本発明の実施形態２に係る遮音シートを模式的に示す図であり、同図（ａ）は遮音シートの表面を示す図であり、同図（ｂ）は遮音シートの裏面を示す図である。
【図６】遮音シートを掃除口継手に取付けた状態を模式的に示す図である。
【図７】遮音シートを模式的に示す縦断面図である。
【図８】本発明の実施形態３に係る遮音シートを模式的に示す図であり、同図（ａ）は遮音シートの表面を示す図であり、同図（ｂ）は遮音シートの裏面を示す図である。
【図９】掃除口継手への遮音シートの取付手順を示す図である。
【図１０】本発明の実施形態４に係る遮音シートを模式的に示す図であり、同図（ａ）は遮音シートの表面を示す図であり、同図（ｂ）は遮音シートの裏面を示す図である。
【図１１】掃除口継手への遮音シートの取付手順を示す図である。
【図１２】本発明の実施形態５に係る遮音シートを模式的に示す図であり、同図（ａ）は遮音シートの表面を示す図であり、同図（ｂ）は遮音シートの裏面を示す図である。
【図１３】本発明の実施形態６に係る遮音シートを模式的に示す図であり、同図（ａ）は遮音シートの表面を示す図であり、同図（ｂ）は遮音シートの裏面を示す図であり、同図（ｃ）は遮音シートを掃除口継手に取付けた状態を模式的に示す断面図である。
【図１４】従来の遮音シートを模式的に示す図であり、同図（ａ）は遮音シートの表面を示す図であり、同図（ｂ）は遮音シートを掃除口継手および排水立て管に取付けた状態を模式的に示す図である。
【発明を実施するための形態】
【００２０】
以下、本発明を実施するための形態を図面に基づいて説明する。
【００２１】
（実施形態１）
図１は、本実施形態に係る遮音シート１を模式的に示す図であり、同図（ａ）は遮音シート１の表面を示す図であり、同図（ｂ）は遮音シート１の裏面を示す図である。なお、以下の説明では、図１（ａ）および（ｂ）の左右方向を長手方向といい、図１（ａ）および（ｂ）の上下方向を幅方向という。
【００２２】
この遮音シート１は、図２に示すような、排水立て管２１，２２の途中に設けられる掃除口継手２３の排水音を低減するために、掃除口継手２３に取付けられるものである。掃除口継手２３は、上下のフランジ２３ａ，２３ｂを排水立て管２１，２２のフランジ２１ａ，２２ａとボルト締結することで、上下の排水立て管２１，２２と接続されている。掃除口継手２３は、これら上下の排水立て管２１，２２の掃除用の開閉可能な開口部２４ａが設けられた掃除口部２４を有している。なお、この遮音シート１は、図２（ａ）に示すような上下の排水立て管２１，２２に対し遮音措置がなされていない掃除口継手２３に適用することも、図２（ｂ）に示すような上下の排水立て管２１，２２に対し遮音シート２７を取り付けた掃除口継手２３に適用することも可能である。
【００２３】
遮音シート１は、軟質塩化ビニル樹脂からなる表面シート１ａと、吸音材からなる裏面シート１ｂとを貼り合せたものである。遮音シート１は、図１（ａ）および（ｂ）に示すように、本体部２と、当該本体部２の長手方向の一方側（図１の左側）の端部に一体に形成された蓋部３と、互いに繰り返し取付けおよび取外し可能なマジックテープ（登録商標）の雌部材５および雄部材６と、を有している。この遮音シート１は、例えば、長尺の表面シートと長尺の裏面シートとを接着剤で貼り合せたシートを打ち抜き加工することによって形成される。なお、吸音材としては、例えば、グラスウール、ポリエステル等の繊維系素材や、ウレタン等の発泡材を挙げることができる。また、遮音シート１の掃除口継手２３への巻き付けおよび蓋部３の開閉を円滑に行うには、遮音シート１は薄く柔らかい方が望ましいので、表面シート１ａの厚さは０．５〜１．５ｍｍが好ましく、裏面シート１ｂの厚さは５〜１５ｍｍが好ましい。
【００２４】
本体部２は、略長方形状に形成されていて、掃除口継手２３およびその上下に接続される排水立て管２１，２２に対し、長手方向に巻き付けられて掃除口継手２３を覆うものである。これにより、本実施形態では「長手方向」が、本発明で言うところの「巻き付け方向」に相当する。この本体部２には、長手方向の他方側（蓋部３が形成された側と反対側）の端部に、掃除口部２４を露出させるための矩形状の窓開口４が形成されている。本体部２の長手方向の長さは、当該本体部２を掃除口継手２３に巻き付けた場合に、長手方向一方側の端部が、長手方向他方側の端部とラップし且つ窓開口４とは重ならないような長さに設定されている。また、本体部２の幅方向の長さは、当該本体部２を掃除口継手２３に巻き付けた場合に、上端２ａが排水立て管２１のフランジ２１ａよりも高く且つ下端２ｂが排水立て管２２のフランジ２２ａよりも低くなるような長さに設定されている。
【００２５】
蓋部３は、略正方形状に形成されていて、本体部２の長手方向一方側の端部における幅方向の中央部から長手方向一方側に突出している。これにより、蓋部３は、本体部２を掃除口継手２３に巻き付けた場合に、窓開口４と重なり、窓開口４を塞ぐことで、露出した掃除口部２４を覆うようになっている。蓋部３は、その幅方向の長さが、本体部２の幅方向の長さよりも短く形成されている。それ故、蓋部３は、本体部２が掃除口継手２３に巻き付けられた状態で、当該蓋部３の上端３ａが本体部２の上端２ａよりも低く、且つ、当該蓋部３の下端３ｂが本体部２の下端２ｂよりも高くなるようになっている。
【００２６】
マジックテープの雌部材（第１部材）５は、図１（ａ）に示すように、本体部２の表面側における窓開口４の近傍に、より詳しくは、窓開口４の長手方向一方側の縁部に、幅方向に延びるように設けられている。一方、雌部材５と繰り返し取付けおよび取外し可能な雄部材（第２部材）６は、蓋部３の裏面側における雌部材５に取付け可能な位置に、より詳しくは、本体部２を掃除口継手２３に巻き付けた場合に蓋部３の裏面が雌部材５と重なる位置に、幅方向に延びるように設けられている。
【００２７】
なお、「互いに繰り返し取付けおよび取外し可能な第１および第２部材」は、マジックテープの雌部材５および雄部材６に限られず、例えば、図３（ａ）に示すように、スナップボタンの雌ボタン２５および雄ボタン２６や、図３（ｂ）に示すように、ホックの雌ホック３５および雄ホック３６や、図３（ｃ）に示すように、マグネットホックの雌ホック４５および雄ホック４６を適用してもよい。
【００２８】
以上のように構成された遮音シート１は、図４（ａ）〜（ｄ）に示す手順で掃除口継手２３に取付けられる。すなわち、先ず、図４（ａ）に示すように、掃除口継手２３の掃除口部２４を遮音シート１の裏側から窓開口４に嵌める。次いで、図４（ｂ）に示すように、本体部２を掃除口継手２３およびその上下に接続される排水立て管２１，２２に巻き付けるとともに、蓋部３で窓開口４を覆って雄部材６を雌部材５に取付ける。次いで、図４（ｃ）に示すように、本体部２における蓋部３の上端３ａよりも上側の部位にインシュロック（結束バンド）３０を巻き付け、このインシュロック３０により、掃除口継手２３の上側に接続された排水立て管２１（より正確には排水立て管２１に取り付けられた遮音シート２７）を締め付ける。同様に、本体部２における蓋部３の下端３ｂよりも下側の部位にインシュロック（結束バンド）３１を巻き付け、このインシュロック３１により、掃除口継手２３の下側に接続された排水立て管２２（より正確には排水立て管２２に取り付けられた遮音シート２７）を締め付ける。これにより、円筒状に巻かれた本体部２の上端部および下端部をインシュロック３０，３１で絞ることにより形成される密閉された空間内に、排水立て管２１のフランジ２１ａ、掃除口継手２３および排水立て管２２のフランジ２２ａが収められることになるので、高い遮音性能を確保することができる。インシュロック３０，３１は、本体部２における蓋部３の上端３ａよりも上側の部位および蓋部３の下端３ｂよりも下側の部位を絞っているので、蓋部３の開閉の支障となることはない。
【００２９】
そうして、排水立て管２１，２２の清掃を行う場合には、図４（ｄ）に示すように、蓋部３を引っ張って、雄部材６を雌部材５から取り外すことで、掃除口部２４を容易に露出させて、開口部２４ａを開くことが可能となる。一方、排水立て管２１，２２の清掃を終了した場合には、蓋部３を窓開口４に被せながら、雄部材６を雌部材５に取り付けることで、掃除口部２４を容易に覆うことができる。なお、本実施形態のように窓開口４の長手方向一方側の縁部にのみマジックテープの雌部材５を設けた遮音シート１は、例えば、掃除口部２４の突出量が比較的小さい掃除口継手２３を覆うのに好適に用いることができる。
【００３０】
（実施形態２）
本実施形態は、窓開口１４周りの三方向にマジックテープの雌部材１５，１７，１９を設ける点が、上記実施形態１と異なるものである。以下、実施形態１と異なる点を中心に説明する。なお、以下の説明では、図５（ａ）および（ｂ）の左右方向を長手方向といい、図５（ａ）および（ｂ）の上下方向を幅方向という。
【００３１】
上述の如く、窓開口４の長手方向一方側の縁部にマジックテープの雌部材５を設けた遮音シート１は、掃除口部２４の突出量が比較的小さい掃除口継手２３を覆うのに好適に用いることができるが、掃除口部２４の突出量が比較的大きい場合には、窓開口４の上下において本体部２と蓋部３との間に隙間が生じ、遮音性能が低下する場合がある。そこで、本実施形態の遮音シート１１では、蓋部１３の上端部および下端部も、マジックテープを介して窓開口１４の上側および下側の縁部に取付けるようにしている。
【００３２】
図５は、本実施形態に係る遮音シート１１を模式的に示す図であり、同図（ａ）は遮音シート１１の表面を示す図であり、同図（ｂ）は遮音シート１１の裏面を示す図である。この遮音シート１１は、軟質塩化ビニル樹脂からなる表面シート１１ａと、吸音材からなる裏面シート１１ｂとを接着剤で貼り合せたものであり、図５（ａ）および（ｂ）に示すように、本体部１２と、当該本体部１２に一体に形成された蓋部１３と、互いに繰り返し取付けおよび取外し可能なマジックテープの雌部材１５，１７，１９および雄部材１６，１８，２０と、を有している。本体部１２には、長手方向における蓋部１３が形成された側と反対側の端部に、掃除口部２４を露出させるための矩形状の窓開口１４が形成されている。
【００３３】
マジックテープの雌部材（第１横側部材）１５は、図５（ａ）に示すように、本体部１２の表面側における窓開口１４の長手方向一方側（蓋部１３が形成される側）の縁部に、幅方向に延びるように設けられている。また、雌部材（第１上側部材）１７は、本体部１２の表面側における窓開口１４の幅方向の一方側（図５の上側）の縁部に、長手方向に延びるように設けられている。さらに、雌部材（第１下側部材）１９は、本体部１２の表面側における窓開口１４の幅方向の他方側（図５の下側）の縁部に、長手方向に延びるように設けられている。なお、本体部１２が掃除口継手２３に巻き付けられた状態では、幅方向の一方側が上側となり、幅方向の他方側が下側となる。
【００３４】
一方、雌部材１５と繰り返し取付けおよび取外し可能な雄部材（第２横側部材）１６は、蓋部１３の裏面側における長手方向の先端部に、幅方向に延びるように設けられている。また、雌部材１７と繰り返し取付けおよび取外し可能な雄部材（第２上側部材）１８は、蓋部１３の裏面側における幅方向の一方側の端部に、長手方向に延びるように設けられている。さらに、雌部材１９と繰り返し取付けおよび取外し可能な雄部材（第２下側部材）２０は、蓋部１３の裏面側における幅方向の他方側の端部に、長手方向に延びるように設けられている。なお、本体部１２が掃除口継手２３に巻き付けられた状態では、蓋部１３の幅方向の一方側の端部が上端部となり、幅方向の他方側の端部が下端部となる。
【００３５】
図６は、遮音シート１１を掃除口継手２３に取付けた状態を模式的に示す図である。図７は、遮音シート１１を模式的に示す縦断面図である。なお、図７では、遮音シート１１，２７のみ断面で示している。また、図７では、遮音シート１１、雌部材１７，１９および雄部材１８，２０の厚みを誇張して示している。
【００３６】
図６に示すように、雄部材１８は、本体部１２を掃除口継手２３に巻き付けた場合に、蓋部１３の裏面が雌部材１７と重なる位置ではなく、当該位置よりも上側である蓋部１３の上端部に設けられている。また、雄部材２０は、本体部１２を掃除口継手２３に巻き付けた場合に、蓋部１３の裏面が雌部材１９と重なる位置ではなく、当該位置よりも下側である蓋部１３の下端部に設けられている。つまり、本実施形態の遮音シート１１では、雄部材１８と雄部材２０との間隔が、雌部材１７と雌部材１９との間隔よりも広く設定されている。
【００３７】
このように、雄部材１８と雄部材２０との間隔を、雌部材１７と雌部材１９との間隔よりも広く設定することにより、雄部材１８を雌部材１７に取り付け、雄部材２０を雌部材１９に取付ければ、図７に示すように、雄部材１８と雄部材２０との間に膨らみ代が生じるので、例えば掃除口部２４の突出量が大きい場合でも、掃除口部２４を隙間なく覆うことができる。また、本実施形態では、窓開口１４を横側、上側および下側の三方向でしっかり閉じるので、掃除口部２４の突出量が大きい場合でも、高い遮音性能を確保することができる。
【００３８】
（実施形態３）
本実施形態は、長手方向における蓋部４３が形成される側の端部を、窓開口４４が形成される側の端部の内側にラップさせる点が、上記実施形態１と異なるものである。以下、実施形態１と異なる点を中心に説明する。なお、以下の説明では、図８（ａ）および（ｂ）の左右方向を長手方向といい、図８（ａ）および（ｂ）の上下方向を幅方向という。また、図８（ａ）における蓋部４３内の破線枠４４ａは、本体部４２が掃除口継手２３に巻き付けられた状態における窓開口４４の位置を示している。
【００３９】
図８は、本実施形態に係る遮音シート４１を模式的に示す図であり、同図（ａ）は遮音シート４１の表面を示す図であり、同図（ｂ）は遮音シート４１の裏面を示す図である。この遮音シート４１は、表面シート４１ａと裏面シート４１ｂとを接着剤で貼り合せたものであり、図８（ａ）および（ｂ）に示すように、本体部４２と、当該本体部４２に一体に形成された蓋部４３と、マジックテープの雌部材４５および雄部材４６と、を有している。本体部４２には、長手方向（巻付け方向）における蓋部４３が形成された側と反対側の端部に、掃除口部２４を露出させるための矩形状の窓開口４４が形成されている。マジックテープの雌部材４５は、本体部４２の表面側における窓開口４４の長手方向一方側（図８の左側）の縁部に、幅方向に延びるように設けられている。
【００４０】
蓋部４３は、実施形態１の蓋部３が矩形状であったのとは異なり、図８に示すように、六角形状に形成されている。蓋部４３における破線枠４４ａよりも長手方向一方側の先端部４３ａは、その幅が窓開口４４の幅（上下方向の幅）よりも小さく形成されている。この先端部４３ａの裏面側には、マジックテープの雄部材４６が設けられている。蓋部４３における破線枠４４ａと長手方向で重なる中央部４３ｂは、その幅（上下方向の幅）が窓開口４４の幅よりも大きく形成されている。また、蓋部４３における本体部４２に対する付け根部分４３ｃは、その幅（上下方向の幅）が、窓開口４４の幅と略等しく形成されている。
【００４１】
以上のように構成された遮音シート４１を掃除口継手２３に取付ける際には、先ず、掃除口部２４と窓開口４４とが一致するように、掃除口部２４を遮音シート４１の裏側から窓開口４４に嵌めて、本体部４２を掃除口継手２３および排水立て管２１，２２に巻き付ける。次いで、図９（ａ）の白抜き矢印で示すように、蓋部４３を本体部４２の裏面側から窓開口４４に通す。この際、先端部４３ａの幅が窓開口４４の幅よりも小さいとともに、遮音シート４１は薄く柔らかいので中央部４３ｂを折り畳めることから、蓋部４３を窓開口４４に通し易くなっている。このように、蓋部４３を本体部４２の裏面側から窓開口４４に通すことで、蓋部４３が形成された長手方向一方側の端部が、窓開口４４が形成された長手方向他方側（図８の右側）の端部の内側にラップする。
【００４２】
次いで、本体部４２の裏面側から表面側に通り抜けた中央部４３ｂで窓開口４４を覆って、雄部材４６を雌部材４５に取付ける。なお、本実施形態では、中央部４３ｂが、本発明でいうところの「本体部の裏面側から表面側に通り抜けて窓開口を覆う部位」に相当する。その後、図９（ｂ）に示すように、本体部４２における蓋部４３の上端よりも上側および下端よりも下側の部位にインシュロック３０，３１をそれぞれ巻き付け、これらのインシュロック３０，３１により、掃除口継手２３の上側および下側に接続された排水立て管２１，２２（より正確には排水立て管２１，２２に取り付けられた遮音シート２７）を締め付ける。
【００４３】
本実施形態によれば、付け根部分４３ｃの幅が窓開口４４の幅と略等しい一方、中央部４３ｂの幅が窓開口４４の幅よりも大きいことから、中央部４３ｂ（特に破線枠４４ａよりも幅方向外側の部分）が引っ掛りとなることで蓋部４３が長手方向に容易に抜け難くなるとともに、付け根部分４３ｃが引っ掛りとなることで、巻き重なった部分（ラップ部）の上下方向の位置を一致させることができる。これにより、位置決め精度が高まることから、遮音シート４１の施工性を向上させることができる。
【００４４】
（実施形態４）
本実施形態は、窓開口５４ではなく本体部５２に形成されたスリット部５７に蓋部５３を通す点が、上記実施形態３と異なるものである。以下、実施形態３と異なる点を中心に説明する。なお、以下の説明では、図１０（ａ）および（ｂ）の左右方向を長手方向といい、図１０（ａ）および（ｂ）の上下方向を幅方向という。
【００４５】
図１０は、本実施形態に係る遮音シート５１を模式的に示す図であり、同図（ａ）は遮音シート５１の表面を示す図であり、同図（ｂ）は遮音シート５１の裏面を示す図である。この遮音シート５１は、表面シート５１ａと裏面シート５１ｂとを接着剤で貼り合せたものであり、図１０（ａ）および（ｂ）に示すように、本体部５２と、当該本体部５２に一体に形成された蓋部５３と、マジックテープの雌部材５５および雄部材５６と、を有している。本体部５２には、長手方向（巻付け方向）における蓋部５３が形成された側と反対側の端部に、掃除口部２４を露出させるための矩形状の窓開口５４が形成されている。マジックテープの雌部材５５は、本体部５２の表面側における窓開口５４の長手方向一方側（図９の左側）の縁部に、幅方向に延びるように設けられている一方、マジックテープの雄部材５６は、蓋部５３の裏面側における長手方向一方側の端部に、幅方向に延びるように設けられている。
【００４６】
本体部５２の長手方向他方側（図９の右側）の端と窓開口５４との間には、蓋部５３が当該本体部５２の裏面側から表面側に通り抜け可能な、上下方向に延びるスリット部５７が形成されている。スリット部５７の長さは、蓋部５３の幅（上下方向の幅）と略等しく設定されている。
【００４７】
以上のように構成された遮音シート５１を掃除口継手２３に取付ける際には、先ず、掃除口部２４と窓開口５４とが一致するように、掃除口部２４を遮音シート５１の裏側から窓開口５４に嵌めて、本体部５２を掃除口継手２３および排水立て管２１，２２に巻き付ける。次いで、図１１（ａ）の白抜き矢印で示すように、蓋部５３を本体部５２の裏面側からスリット部５７に通す。このように、蓋部５３を本体部５２の裏面側からスリット部５７に通すことで、蓋部５３が形成された長手方向一方側の端部が、窓開口５４が形成された長手方向他方側（図１０の右側）の端部の内側にラップする。
【００４８】
次いで、本体部５２の裏面側から表面側に通り抜けた蓋部５３で窓開口５４を覆って、雄部材５６を雌部材５５に取付ける。その後、図１１（ｂ）に示すように、本体部５２における蓋部５３の上端よりも上側および下端よりも下側の部位にインシュロック３０，３１をそれぞれ巻き付け、これらのインシュロック３０，３１により、掃除口継手２３の上側および下側に接続された排水立て管２１，２２（より正確には排水立て管２１，２２に取り付けられた遮音シート２７）を締め付ける。
【００４９】
本実施形態によれば、蓋部５３の幅がスリット部５７の長さと略等しいことから、蓋部５３の上下端がスリット部５７の上下端に当たることで、巻き重なった部分（ラップ部）の上下方向の位置を一致させることができる。これにより、位置決め精度が高まることから、遮音シート５１の施工性を向上させることができる。
【００５０】
（実施形態５）
本実施形態は、インシュロック６７，６８を本体部６２に取付けている点が、上記実施形態１と異なるものである。以下、実施形態１と異なる点を中心に説明する。なお、以下の説明では、図１２（ａ）および（ｂ）の左右方向を長手方向といい、図１２（ａ）および（ｂ）の上下方向を幅方向という。
【００５１】
図１２は、本実施形態に係る遮音シート６１を模式的に示す図であり、同図（ａ）は遮音シート６１の表面を示す図であり、同図（ｂ）は遮音シート６１の裏面を示す図である。この遮音シート６１は、表面シート６１ａと裏面シート６１ｂとを接着剤で貼り合せたものであり、図１０（ａ）および（ｂ）に示すように、本体部６２と、当該本体部６２に一体に形成された蓋部６３と、マジックテープの雌部材６５および雄部材６６と、を有している。本体部６２には、長手方向（巻付け方向）における蓋部６３が形成された側と反対側の端部に、掃除口部２４を露出させるための矩形状の窓開口６４が形成されている。マジックテープの雌部材６５は、本体部６２の表面側における窓開口６４の長手方向一方側（図１２の左側）の縁部に、幅方向に延びるように設けられている一方、マジックテープの雄部材６６は、蓋部６３の裏面側における長手方向一方側の端部に、幅方向に延びるように設けられている。
【００５２】
本体部６２における、掃除口継手２３に巻き付けられた状態で、蓋部６３の上端よりも上側となる部位には、インシュロック６７を挿通可能な表裏に通じる一対の連通孔６９ａ，６９ｂと一対の連通孔６９ｃ，６９ｄとが、長手方向に離間して形成されている。同様に、本体部６２における、掃除口継手２３に巻き付けられた状態で、蓋部６３の下端よりも下側となる部位にも、インシュロック６８を挿通可能な表裏に通じる一対の連通孔６９ａ，６９ｂと一対の連通孔６９ｃ，６９ｄとが、長手方向（巻付け方向）に離間して形成されている。
【００５３】
各インシュロック６７，６８は、本体部６２の表面側から連通孔６９ａに挿通され、本体部６２の裏面側から連通孔６９ｂに挿通されることで、一対の連通孔６９ａ，６９ｂによって本体部６２に取付けられる。さらに、連通孔６９ｂから本体部６２の表面側に出た各インシュロック６７，６８は、本体部６２の表面側から連通孔６９ｃに挿通され、本体部６２の裏面側から連通孔６９ｄに挿通されることで、長手方向に離間した２箇所で本体部６２に取付けられる。
【００５４】
このように、本実施形態によれば、恰もインシュロック６７，６８を本体部６２に縫い込むように取り付けることができる。そうして、一対の連通孔６９ａ，６９ｂと一対の連通孔６９ｃ，６９ｄとが、長手方向に離間して形成されていることから、インシュロック６７，６８がぐらつくことなく、遮音シート６１におけるインシュロック６７，６８の位置をしっかりと決めることができる。これにより、施工時における排水立て管２１，２２に対するインシュロック６７，６８の位置決めが容易になるとともに、インシュロック６７，６８が傾くことがないので締付性が確保されることから、遮音シート６１の施工性を向上させることができる。
【００５５】
（実施形態６）
本実施形態は、開かれた蓋部７３を二つ折りにした状態で保持するマジックテープの雌部材７７および雄部材７８が設けられている点が、上記実施形態１と異なるものである。以下、実施形態１と異なる点を中心に説明する。なお、以下の説明では、図１３（ａ）および（ｂ）の左右方向を長手方向といい、図１３（ａ）および（ｂ）の上下方向を幅方向という。
【００５６】
図１３は、本実施形態に係る遮音シート７１を模式的に示す図であり、同図（ａ）は遮音シート７１の表面を示す図であり、同図（ｂ）は遮音シート７１の裏面を示す図であり、同図（ｃ）は遮音シート７１を掃除口継手２３に取付けた状態を模式的に示す断面図である。この遮音シート７１は、表面シート７１ａと裏面シート７１ｂとを接着剤で貼り合せたものであり、図１３（ａ）および（ｂ）に示すように、本体部７２と、当該本体部７２に一体に形成された蓋部７３と、マジックテープの雌部材７５および雄部材７６と、を有している。本体部７２には、長手方向（巻付け方向）における蓋部７３が形成された側と反対側の端部に、掃除口部２４を露出させるための矩形状の窓開口７４が形成されている。マジックテープの雌部材７５は、本体部７２の表面側における窓開口７４の長手方向一方側（図１３の左側）の縁部に、幅方向に延びるように設けられている一方、マジックテープの雄部材７６は、蓋部７３の裏面側における長手方向一方側の端部に、幅方向に延びるように設けられている。
【００５７】
遮音シート７１は、互いに繰り返し取付けおよび取外し可能なマジックテープの雌部材（第４部材）７７および雄部材（第３部材）７８と、をさらに有している。雄部材７８は、蓋部７３の表面側における長手方向一方側の端部（巻付け方向の先端部）に設けられている一方、雌部材７７は、本体部７２の表面側における蓋部７３と窓開口７４との間に設けられている。
【００５８】
本実施形態によれば、雌部材７５と雄部材７６との取外しによって窓開口７４を開いた際、雌部材７７と雄部材７８との取付けによって、蓋部７３が垂れ下がることなく、図１３（ｃ）に示すように、蓋部７３を二つ折りにした状態で保持することができるので、管内洗浄や管内調査の作業性を向上させることができる。
【００５９】
（その他の実施形態）
本発明は、実施形態に限定されず、その精神又は主要な特徴から逸脱することなく他の色々な形で実施することができる。
【００６０】
上記各実施形態では、マジックテープの雌部材５，１５，１７，１９を遮音シート１，１１の表面側に設け、雄部材６，１６，１８，２０を遮音シート１，１１の裏面側に設けたが、これに限らず、雌部材５，１５，１７，１９を遮音シート１，１１の裏面側に設け、雄部材６，１６，１８，２０を遮音シート１，１１の表面側に設けてもよい。
【００６１】
また、上記各実施形態では、インシュロック３０，３１を用いて遮音シート１，１１を固定したが、これに限らず、例えば、紐やテープを用いて遮音シート１，１１を固定してもよい。
【００６２】
さらに、上記各実施形態では、窓開口４，１４を矩形状に形成したが、これに限らず、掃除口部２４の形状に合わせて、例えば円形状の窓開口を形成してもよい。
【００６３】
また、上記実施形態３〜６では、マジックテープの雌部材４５，５５，６５，７５を、窓開口４４，５４，６４，７４の長手方向一方側の縁部に設けたが、これに限らず、例えば、上記実施形態２のように、窓開口４４，５４，６４，７４周りの三方向に設けてもよい。
【００６４】
さらに、上記実施形態５では、一対の連通孔６９ａ，６９ｂ，６９ｃ，６９ｄを長手方向に離間させて２対形成したが、これに限らず、例えば、対をなさない連通孔を長手方向に離間させて２以上形成してもよい。
【００６５】
また、上記実施形態５および６では、上記実施形態１と同様の遮音シート６１，７１に、連通孔６９ａ，６９ｂ，６９ｃ，６９ｄや雌部材７７および雄部材７８をそれぞれ設けたが、これに限らず、例えば、上記実施形態２〜４と同様の遮音シート１１，４１，５１に、連通孔や第４部材としての雌部材および第３部材としての雄部材をそれぞれ設けてもよい。
【００６６】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６７】
本発明によると、掃除口継手へ容易に取り付けることができ、且つ、掃除口部を容易に露出させるとともに容易に覆うことができるので、排水立て管の掃除口継手に取付けられる遮音シートに適用して極めて有益である。
【符号の説明】
【００６８】
１        遮音シート
１ａ      表面シート
１ｂ      裏面シート
２        本体部
２ａ      上端
２ｂ      下端
３        蓋部
３ａ      上端
３ｂ      下端
４        窓開口
５        雌部材（第１部材）
６        雄部材（第２部材）
１１      遮音シート
１１ａ    表面シート
１１ｂ    裏面シート
１２      本体部
１３      蓋部
１４      窓開口
１５      雌部材（第１横側部材）
１６      雄部材（第２横側部材）
１７      雌部材（第１上側部材）
１８      雄部材（第２上側部材）
１９      雌部材（第１下側部材）
２０      雄部材（第２下側部材）
２１      排水立て管
２２      排水立て管
２３      掃除口継手
２４      掃除口部
２４ａ    開口部
３０      インシュロック（結束バンド）
３１      インシュロック（結束バンド）
４１、５１、６１、７１      遮音シート
４１ａ、５１ａ、６１ａ、７１ａ    表面シート
４１ｂ、５１ｂ、６１ｂ、７１ｂ    裏面シート
４２、５２、６２、７２      本体部
４３、５３、６３、７３      蓋部
４４、５４、６４、７４      窓開口
４５、５５、６５、７５      雌部材（第１部材）
４６、５６、６６、７６      雄部材（第２部材）
５７      スリット部
６７、６８      インシュロック（結束バンド）
６９ａ、６９ｂ、６９ｃ、６９ｄ      連通孔
７７      雌部材（第４部材）
７８      雄部材（第３部材）
【図１】
2020060096.tif 000003
【図２】
2020060096.tif 000004
【図３】
2020060096.tif 000005
【図４】
2020060096.tif 000006
【図５】
2020060096.tif 000007
【図６】
2020060096.tif 000008
【図７】
2020060096.tif 000009
【図８】
2020060096.tif 000010
【図９】
2020060096.tif 000011
【図１０】
2020060096.tif 000012
【図１１】
2020060096.tif 000013
【図１２】
2020060096.tif 000014
【図１３】
2020060096.tif 000015
【図１４】
2020060096.tif 000016